(57)【要約】【課題】携帯電話のディスプレイに表示してレジのバーコードリーダに読み取らせることで、商品や役務などの代金の決済ができる電子画像（具体的には２次元バーコードなど）が、無権限者により不正に使用されるのを阻止すること。【解決手段】カード会員１０１からの要求に応じて、カード会社１００は有効金額や有効期間などの使用条件を折り込んだ２次元バーコードを発行する。このバーコードには暗号化された暗証番号である表示キーが添付され、カード会員１０１が携帯電話にあらかじめ暗証番号を入力して、上記と同一の表示キーを生成しておくか、表示キーをあらかじめ埋め込まれた閲覧ソフトを入手しておくのでない限り表示させることができない。なお、バーコードにはその使用条件などをテキストで記述した説明文データも添付され、この説明文も表示キーが一致しない限り表示させることができない。【選択図】      図８
2004213362.tif 000002
【特許請求の範囲】
【請求項１】
商品や役務などの代金の決済を行うための電子画像を表示する電子画像表示装置において、
前記電子画像の画像データおよび前記電子画像の表示可否を判定するための表示キーデータを受信する受信手段と、
前記受信手段により画像データを受信された電子画像の表示を指示する指示手段と、
前記指示手段により表示を指示された電子画像の画像データとともに前記受信手段により受信された前記表示キーデータが、あらかじめ保持されている表示キーデータと一致するか否かを判定する判定手段と、
前記判定手段により前記表示キーデータがあらかじめ保持されている表示キーデータと一致すると判定された場合に、前記電子画像を表示する表示手段と、
を備えたことを特徴とする電子画像表示装置。
【請求項２】
前記表示キーデータはクレジットカードの暗証番号にもとづいて生成されることを特徴とする前記請求項１に記載の電子画像表示装置。
【請求項３】
前記受信手段は、前記画像データおよび前記表示キーデータとあわせて前記電子画像の使用条件などを記述した説明文データを受信するとともに、
前記表示手段は、前記判定手段により前記表示キーデータがあらかじめ保持されている表示キーデータと一致すると判定された場合に、前記電子画像および前記説明文を表示することを特徴とする前記請求項１または請求項２に記載の電子画像表示装置。
【請求項４】
商品や役務などの代金の決済を行うための電子画像を表示する電子画像表示方法において、
前記電子画像の画像データおよび前記電子画像の表示可否を判定するための表示キーデータを受信する受信工程と、
前記受信工程で画像データを受信された電子画像の表示を指示する指示工程と、
前記指示工程で表示を指示された電子画像の画像データとともに前記受信工程で受信された前記表示キーデータが、あらかじめ保持されている表示キーデータと一致するか否かを判定する判定工程と、
前記判定工程で前記表示キーデータがあらかじめ保持されている表示キーデータと一致すると判定された場合に、前記電子画像を表示する表示工程と、
を含んだことを特徴とする電子画像表示方法。
【請求項５】
前記表示キーデータはクレジットカードの暗証番号にもとづいて生成されることを特徴とする前記請求項４に記載の電子画像表示方法。
【請求項６】
前記受信工程では、前記画像データおよび前記表示キーデータとあわせて前記電子画像の使用条件などを記述した説明文データを受信するとともに、
前記表示工程では、前記判定工程で前記表示キーデータがあらかじめ保持されている表示キーデータと一致すると判定された場合に、前記電子画像および前記説明文を表示することを特徴とする前記請求項４または請求項５に記載の電子画像表示方法。
【請求項７】
前記請求項４〜請求項６のいずれか一つに記載された方法をコンピュータに実行させるプログラム。
【発明の詳細な説明】
【０００１】
【発明の属する技術分野】
この発明は、商品や役務などの代金の決済を行うための電子画像を表示する電子画像表示装置、電子画像表示方法およびその方法をコンピュータに実行させるプログラムに関する。
【０００２】
【従来の技術】
ここ数年の間に携帯電話の普及率は爆発的な伸びを見せ、電話機そのものの多機能化・高機能化も急速に進んでいる。そしてそれに伴って、常時携帯される高度な情報処理装置としての携帯電話を利用した、様々なシステムやサービスが多数提案されている。
【０００３】
一例として、インターネットで予約した商品の代金をコンビニエンスストアなどで支払う際に、携帯電話のディスプレイに表示させたバーコードをバーコードリーダに読み取らせたり、あるいはクーポン（割引券）として携帯電話に送付されたバーコードをレジにて提示することで、所定の割引を受けられたりするものがある（たとえば、特許文献１参照）。
【０００４】
【特許文献１】
特開２００１−５８８３号公報
【０００５】
【発明が解決しようとする課題】
しかしながらバーコードのデータは複製が容易であり、何らかの方法で当該データを取得した無権限者が、自己の携帯電話にバーコードを再現して不正に使用することがある。また、無権限者に故意や悪意がなくても、自己の携帯電話に誤送付されてきたバーコードを他人のものと気付かずに使ってしまうことがあるという問題があった。
【０００６】
この発明は上記従来技術による問題を解決するため、商品や役務などの代金の決済を行うための電子画像が無権限者により不正に使用されるのを阻止することが可能な電子画像表示装置、電子画像表示方法およびその方法をコンピュータに実行させるプログラムを提供することを目的とする。
【０００７】
【課題を解決するための手段】
上述した課題を解決し、目的を達成するため、請求項１に記載の発明にかかる電子画像表示装置は、商品や役務などの代金の決済を行うための電子画像を表示する電子画像表示装置において、前記電子画像の画像データおよび前記電子画像の表示可否を判定するための表示キーデータを受信する受信手段と、前記受信手段により画像データを受信された電子画像の表示を指示する指示手段と、前記指示手段により表示を指示された電子画像の画像データとともに前記受信手段により受信された前記表示キーデータが、あらかじめ保持されている表示キーデータと一致するか否かを判定する判定手段と、前記判定手段により前記表示キーデータがあらかじめ保持されている表示キーデータと一致すると判定された場合に、前記電子画像を表示する表示手段と、を備えたことを特徴とする。
【０００８】
この請求項１に記載の発明によれば、表示キーの基礎となるデータから個々の電子画像に添付されるのと同一の表示キーを用意しておけない限り、電子画像を取得はしても表示させることはできない。
【０００９】
また、請求項２に記載の発明にかかる電子画像表示装置は、前記請求項１に記載の発明において、前記表示キーデータがクレジットカードの暗証番号にもとづいて生成されることを特徴とする。
【００１０】
この請求項２に記載の発明によれば、表示キーの基礎となる暗証番号から個々の電子画像に添付されるのと同一の表示キーを用意しておけない限り、電子画像を取得はしても表示させることはできない。
【００１１】
また、請求項３に記載の発明にかかる電子画像表示装置は、前記請求項１または請求項２に記載の発明において、前記受信手段が、前記画像データおよび前記表示キーデータとあわせて前記電子画像の使用条件などを記述した説明文データを受信するとともに、前記表示手段が、前記判定手段により前記表示キーデータがあらかじめ保持されている表示キーデータと一致すると判定された場合に、前記電子画像および前記説明文を表示することを特徴とする。
【００１２】
この請求項３に記載の発明によれば、表示キーの基礎となるデータ（たとえば暗証番号）から個々の電子画像に添付されるのと同一の表示キーを用意しておけない限り、電子画像やその説明文を取得はしても表示させることはできない。
【００１３】
また、請求項４に記載の発明にかかる電子画像表示方法は、商品や役務などの代金の決済を行うための電子画像を表示する電子画像表示方法において、前記電子画像の画像データおよび前記電子画像の表示可否を判定するための表示キーデータを受信する受信工程と、前記受信工程で画像データを受信された電子画像の表示を指示する指示工程と、前記指示工程で表示を指示された電子画像の画像データとともに前記受信工程で受信された前記表示キーデータが、あらかじめ保持されている表示キーデータと一致するか否かを判定する判定工程と、前記判定工程で前記表示キーデータがあらかじめ保持されている表示キーデータと一致すると判定された場合に、前記電子画像を表示する表示工程と、を含んだことを特徴とする。
【００１４】
この請求項４に記載の発明によれば、表示キーの基礎となるデータから個々の電子画像に添付されるのと同一の表示キーを用意しておけない限り、電子画像を取得はしても表示させることはできない。
【００１５】
また、請求項５に記載の発明にかかる電子画像表示方法は、前記請求項４に記載の発明において、前記表示キーデータがクレジットカードの暗証番号にもとづいて生成されることを特徴とする。
【００１６】
この請求項５に記載の発明によれば、表示キーの基礎となる暗証番号から個々の電子画像に添付されるのと同一の表示キーを用意しておけない限り、電子画像を取得はしても表示させることはできない。
【００１７】
また、請求項６に記載の発明にかかる電子画像表示方法は、前記請求項４または請求項５に記載の発明において、前記受信工程では、前記画像データおよび前記表示キーデータとあわせて前記電子画像の使用条件などを記述した説明文データを受信するとともに、前記表示工程では、前記判定工程で前記表示キーデータがあらかじめ保持されている表示キーデータと一致すると判定された場合に、前記電子画像および前記説明文を表示することを特徴とする。
【００１８】
この請求項６に記載の発明によれば、表示キーの基礎となるデータ（たとえば暗証番号）から個々の電子画像に添付されるのと同一の表示キーを用意しておけない限り、電子画像やその説明文を取得はしても表示させることはできない。
【００１９】
また、請求項７に記載の発明にかかるプログラムによれば、前記請求項４〜請求項６のいずれか一つに記載された方法がコンピュータによって実行される。
【００２０】
【発明の実施の形態】
以下に添付図面を参照して、この発明による電子画像表示装置、電子画像表示方法およびその方法をコンピュータに実行させるプログラムの好適な実施の形態を詳細に説明する。
【００２１】
図１は、この発明の実施の形態による電子画像表示装置を含む、電子決済システムの概略を示す説明図である。図示するように、本システムに関与する主な当事者はクレジットカードを発行するカード会社１００、当該会社の顧客であるカード会員１０１、および当該会社のクレジットカードが使用可能な加盟店１０２の３者である。上記のほか、各当事者をネットワークで接続する通信業者なども存在するが、同図では図示を省略している。
【００２２】
カード会社１００がインターネットに開設するホームページでは、各種カードのラインナップやＱ＆Ａなど、会員／非会員を問わない諸情報のほか、会員のみに発行されるＩＤとパスワード（クレジットカード番号や暗証番号とは異なる）を提示することで、後述する２次元バーコードの請求や表示を行うための専用ツールを入手できる。この専用ツールはＪａｖａ（Ｒ）などにより記述され、カード会員１０１の所持する携帯電話に組み込まれる。
【００２３】
そして、上記ツールにより携帯電話に表示される図２のようなメニューから、たとえば「２．バーコードの申し込み」を選択すると、図３のような認証画面に続いて図４・図５および図６のようなバーコード選択画面が表示されるので、カード会員１０１は希望するバーコードの種別（有効金額）、有効期間、対象商品／役務および店舗などの必要事項を入力・送信する（図１▲１▼）。
【００２４】
ここで、バーコードには「１円〜９９円用（１００円未満の端数用）」「１円〜９９９円用（１０００円未満の端数用）」など、有効金額に応じた複数の種別があり、カード会員１０１が必要なものを任意に選択できる。また、個々のバーコードには有効期間があり、有効期間を過ぎると後述のように、上記ツールにより携帯電話から自動的に削除される。
【００２５】
カード会員１０１からの申し込みを受け付けたカード会社１００のサーバでは、図７に示すような２次元バーコードを生成・返信する（図１▲２▼）。図示する２次元バーコードには、図３の認証画面で入力されたＩＤとパスワードから特定されるカード会員１０１のクレジットカード番号、当該カードの有効期間のほか、図４〜図６のバーコード選択画面で入力されたバーコードの使用条件が折り込まれている。
【００２６】
上記のようにしてカード会社１００から２次元バーコードを取得したカード会員１０１は、図２のメニューから「１．バーコードの表示」を選択し、携帯電話のディスプレイに図７のようにバーコードを表示させて、加盟店１０２のバーコードリーダに読み取らせる（図１▲３▼）。そして、たとえば「１〜９９９円用」のバーコードを提示して料金が１３６７円となった場合、うち１０００円のみを現金で支払う。
【００２７】
一方、残りの３６７円（１０００円未満の端数）は自動的にクレジット扱いとなり、加盟店１０２からＣＡＦＩＳ（Ｒ）（Ｃｒｅｄｉｔ  Ａｎｄ  Ｆｉｎａｎｃｅ  Ｉｎｆｏｒｍａｔｉｏｎ  Ｓｙｓｔｅｍ）などを経由してカード会社１００に請求される（図１▲４▼）。カード会社１００ではカード会員１０１に利用明細を送付し、指定日に会員指定の口座から上記端数を引き落とすとともに、加盟店１０２指定の口座へ請求された金額を振り込む（図１▲５▼）。
【００２８】
つぎに、図８はこの発明の実施の形態による電子画像表示装置を含む、電子決済システムの構成を機能的に示す説明図である。まず、８００ａは会員ＤＢ（データベース）であり、個々のカード会員１０１の個人情報、たとえばその氏名、住所、電話番号、クレジットカード番号、クレジットカードの有効期間、暗証番号、上述のＩＤやパスワードなどを保持するデータベースである。
【００２９】
８００ｂは会員認証部であり、図３の認証画面から送信されてきたＩＤおよびパスワードにもとづいて、バーコード発行の申し込み者にその権限があるか否かを判定する機能部である。ＩＤおよびパスワードは上述の専用ツールにより暗号化されているので、会員認証部８００ｂは受信したデータを復号の上、会員ＤＢ８００ａと照合して、当該ＩＤとパスワードとが自社の会員のものか否か、当該会員のカードがまだ有効か否かなどをチェックする。
【００３０】
そして認証ＯＫの場合、すなわち正当な権限を有するカード会員１０１からの申し込みと判定した場合に、その事実を後述するバーコード指定受付部８００ｃに通知するとともに、会員ＤＢ８００ａから読み出した上記会員のクレジットカード番号、当該カードの有効期間および暗証番号を、後述するバーコード生成部８００ｄに出力する。
【００３１】
８００ｃはバーコード指定受付部であり、会員認証部８００ｂから認証ＯＫの通知があった場合に、申し込み者の携帯電話に図４〜図６のようなバーコード選択画面を返信するとともに、当該画面で入力された内容を受信する機能部である。そして、上記携帯電話から受信したバーコードの使用条件を、後述するバーコード生成部８００ｄに出力する。
【００３２】
８００ｄはバーコード生成部であり、会員認証部８００ｂから入力したクレジットカードの番号と有効期間、およびバーコード指定受付部８００ｃから入力したバーコードの使用条件を折り込んだ２次元バーコードを生成する機能部である。さらに、バーコード生成部８００ｄは説明文生成部８００ｄ−１および表示キー生成部８００ｄ−２を含む構成であり、これらの機能部により、最終的に図９に示すような一連のデータが生成される。
【００３３】
図中画像エリア９００には、バーコード生成部８００ｄにより生成されたバーコードの画像データが格納される。説明文エリア９０１には、説明文生成部８００ｄ−１により上記バーコードの説明文データが挿入される。この説明文データとは、具体的にはバーコードの使用条件（有効金額、有効期間、使用可能商品／役務や店舗など）、カード会員１０１や加盟店１０２向けの注意などをテキストで記述したものである。
【００３４】
また、表示キーエリア９０２には表示キー生成部８００ｄ−２により生成された表示キーのデータが格納される。この表示キーとは後述のように、バーコードの表示に先立って携帯電話側（上述の専用ツール側）の表示キーと照合されるデータであり、具体的にはバーコード指定受付部８００ｃから入力した暗証番号を所定の計算式により暗号化したものである。
【００３５】
図８に戻り、つぎに８００ｅはバーコード送信部であり、バーコード生成部８００ｄにより作成された図９のようなデータを、所定のアルゴリズムにより暗号化のうえカード会員１０１の携帯電話に送信する機能部である。
【００３６】
なお、ここでは発行されるのは図７のような２次元バーコードであるものとするが、縦縞模様のいわゆるバーコード（１次元バーコード）であってもよい。この場合は個々のラインの幅と個数だけ送れば画像を再現できるので、２次元バーコードを送る場合に比べて通信量が少なくて済む。また、必ずしも１次元や２次元のバーコードに限る趣旨ではなく、必要事項を折り込んだ何らかの画像（パターン）であれば足りる。
【００３７】
また、ここではバーコードの有効期間は申し込み時に任意に指定できるようにしたが、たとえば一律にその始期を現在日時、終期を現在日時＋Ｎ日に設定してもよく、あるいはＮの値をバーコードの種別や会員種別（ゴールド／学生など）によって変化させるようにしてもよい。
【００３８】
８００ｆは精算部であり、個々の加盟店１０２からＣＡＦＩＳ（Ｒ）などを介して受信した請求額を、カード会員１０１ごとや加盟店１０２ごとに集計するとともに、各カード会員１０１の口座からの引き落としや各加盟店１０２の口座への入金などを金融機関に指示する機能部である。この精算部８００ｆにおける処理は、２次元バーコードの代わりにクレジットカードが提示された場合と同一であるので、詳細な説明を省略する。
【００３９】
８００ｇはポイント更新部であり、カード会員１０１の口座からの引き落としが完了したのを精算部８００ｆが確認すると、当該引き落とし額すなわち今回の利用額にもとづいてカード会員１０１の保有ポイント数を算出するとともに、後述するポイントＤＢ８００ｈに指示して、そこに保持されたポイント数を上記ポイント数で更新させる機能部である。
【００４０】
８００ｈはポイントＤＢであり、各カード会員１０１のクレジットカード番号と、当該会員の現在の保有ポイント数とを対応づけて保持するデータベースである。
【００４１】
なお、上述した８００ａ〜８００ｈの各機能部は、カード会社１００が設置する複数のサーバにより実現される。どのサーバにどの機能部を割り当てるかは任意であり、たとえば会員ＤＢ８００ａおよび会員認証部８００ｂの機能をサーバＡ、バーコード指定受付部８００ｃ・バーコード生成部８００ｄおよびバーコード送信部８００ｅの機能をサーバＢ、精算部８００ｆをサーバＣ、ポイント更新部８００ｇおよびポイントＤＢ８００ｈの機能をサーバＤに持たせ、これらのサーバをＬＡＮにより接続することが考えられる。もっとも各機能部が電子的に接続されていさえすれば、物理的にどのような配置になっていようと本発明の本質に無関係であることは言うまでもない。
【００４２】
つぎに、８０１ａは会員認証部であり、図３に示したような認証画面を表示するとともに、当該画面で入力されたＩＤおよびパスワードをカード会社１００側の会員認証部８００ｂに送信して、認証ＯＫまたは認証ＮＧの通知を受信する機能部である。そして、認証ＯＫの場合は後述するバーコード指定部８０１ｂにその旨を通知し、認証ＮＧの場合はその旨のエラーメッセージを画面表示する。
【００４３】
８０１ｂはバーコード指定部であり、カード会社１００側のバーコード指定受付部８００ｃから図４〜図６に示したバーコード選択画面を受信して、当該画面で選択された種別に対応する有効金額、選択された有効期間、選択された商品／役務や店舗などの使用条件を、同じくバーコード指定受付部８００ｃに返信する機能部である。
【００４４】
なお、当該返信に先立って、希望されたバーコードが手持ちのバーコードと重複しないかどうかのチェックを行い、重複する場合は「全国のａｎｐｎでまだ有効な１〜９９９円用のお弁当バーコードがあります。本当に申し込みますか？」などの確認メッセージを表示するようにしてもよい。
【００４５】
８０１ｃはバーコード受信部であり、カード会社１００側のバーコード送信部８００ｅから送信されてきた図９のデータを受信する機能部である。受信されたデータはバーコード受信部８０１ｃによる復号のうえ、後述するバーコードＤＢ８０１ｄに出力される。
【００４６】
８０１ｄはバーコードＤＢであり、バーコード受信部８０１ｃから入力したデータを保持するとともに、その読み出しや有効期間を過ぎたバーコードの削除などを行う機能部である。なお、バーコードＤＢ８０１ｄは新たなバーコードを受け入れる際に、当該バーコードに「００１」などの一意な番号を付与する。
【００４７】
８０１ｅはバーコード表示部であり、バーコードＤＢ８０１ｄに保持されたバーコードの一覧を表示するとともに、一覧中から選択されたバーコードのデータをバーコードＤＢ８０１ｄに指示して読み出させ、図７のようにディスプレイに表示する機能部である。
【００４８】
図２に示したメニューから「１．バーコードの表示」が選択されると、バーコード表示部８０１ｅはまず図１０に示すような表示オプション画面を表示して、バーコードＤＢ８０１ｄ内のバーコードをどの観点から絞り込むか選択させる。そして図中、たとえば「１．商品名・五十音順」が選択されると、図１１に示すように五十音の行名を表示し、つぎに選択された行の文字から始まる商品名の一覧を図１２のように表示する。
【００４９】
そして、上記一覧から商品が選択されると、バーコードＤＢ８０１ｄに指示して当該商品を利用可能商品に含むバーコードを検索させる。つぎに、バーコードＤＢ８０１ｄから返されてきた各バーコードの表示可否を、後述する表示可否判定部８０１ｆに問い合わせ、表示ＯＫの場合に当該バーコードの画像と説明文とを図１３のように表示する。
【００５０】
図中、領域１３００の画像は図９の画像エリア９００に、領域１３０１の説明文は同じく説明文エリア９０１に格納されていたものである。また、図中拡大表示ボタン１３０２を押下することで、図７のようにバーコードの画像のみを表示させることができる。
【００５１】
図８に戻り、つぎに８０１ｆは表示可否判定部であり、バーコード表示部８０１ｅからの問い合わせに応じてバーコードおよび説明文の表示可否を回答するとともに、表示可否の判定の基礎となる表示キー（バーコードを表示するアプリケーション側の表示キー）をカード会員１０１に設定させる機能部である。
【００５２】
表示可否判定部８０１ｆは、図２に示したメニューから「３．表示キーの設定」が選択されると、図１４に示すような表示キー設定画面を表示する。そして、当該画面から入力された暗証番号を所定の計算式（カード会社１００側の表示キー生成部８００ｄ−２で、個々のバーコードの表示キーを生成する際に使用する計算式と同一）により暗号化のうえ、表示キー記憶部８０１ｆ−１に格納する。
【００５３】
なお、ここではアプリケーション側の表示キーの設定は、カード会社１００のサーバからのダウンロード後に個々のカード会員１０１が行うようにしたが、ダウンロード時に、サーバ側で暗号化した暗証番号を組み込んでから送信するようにしてもよい（上述のように、ダウンロード時にはＩＤとパスワードが入力されるので、これらの情報により暗証番号を特定可能である）。ただしこの場合、暗証番号を変更すると再度上記ツールのダウンロードが必要となる。
【００５４】
表示可否判定部８０１ｆは、バーコード表示部８０１ｅからバーコードの表示キーを提示して表示可否の問い合わせがあった場合に、当該表示キーと表示キー記憶部８０１ｆ−１内の表示キーとが一致するか否かをチェックし、一致する場合に表示ＯＫ、不一致の場合に表示ＮＧの通知をバーコード表示部８０１ｅに返す。
【００５５】
なお、上述した８０１ａ〜８０１ｆの各機能部は、カード会員１０１が所持する携帯電話上で、上述の専用ツールが動作することにより実現される。そして、この携帯電話が本発明による電子画像表示装置に相当する。
【００５６】
図１５は、この発明の実施の形態による電子画像表示装置のハードウエア構成を示す説明図である。図中、１５０１は装置全体を制御するＣＰＵを、１５０２は基本入出力プログラムを記憶したＲＯＭを、１５０３はＣＰＵ１５０１のワークエリアとして使用されるＲＡＭを、それぞれ示している。
【００５７】
また、１５０４はカーソル、メニュー、ウィンドウ、あるいは文字や画像などの各種データを表示するディスプレイを、１５０５は文字、数字、各種指示などを入力するための操作キー（テンキーや十字キーなど）を、それぞれ示している。
【００５８】
また、１５０６は入力した音声を電気信号に変換するマイクを、１５０７は入力した電気信号を音声に変換して出力するスピーカを、１５０８は無線基地局との電波の送受信を制御する通信制御部を、１５００は上記各部を接続するバスを、それぞれ示している。
【００５９】
図８に戻り、つぎに８０２ａはバーコード読み取り部であり、携帯電話のバーコード表示部８０１ｅにより表示されたバーコードを光学的に読み取る機能部である。読み取られたバーコードのデータは、後述するバーコード解析部８０２ｂに出力される。
【００６０】
８０２ｂはバーコード解析部であり、バーコード読み取り部８０２ａにより読み取られたバーコードのデータから、そこに折り込まれたクレジットカードの番号と有効期間、およびバーコードの使用条件を抽出する機能部である。抽出された各情報は、後述する使用可否判定部８０２ｃに出力される。
【００６１】
８０２ｃは使用可否判定部であり、バーコード解析部８０２ｂから入力した情報にもとづいて、提示されたバーコードが使用可能か否かを判定する機能部である。具体的には、バーコードの有効期間が切れていたりクレジットカードそのものの有効期間が切れていたりする場合、あるいは使用可能な商品や店舗の条件が満たされない場合に、当該バーコードは使用不可であると判定し、レジスターのディスプレイにその旨のエラー表示を行う。上記以外の場合は使用可と判定し、バーコード解析部８０２ｂから入力したクレジットカードの番号とバーコードの有効金額とを後述する売上計上部８０２ｄに出力する。
【００６２】
８０２ｄは売上計上部であり、使用可否判定部８０２ｃから入力したバーコードの有効金額を参照して、売上金のうち現金売上となるものとクレジット売上となるものとがそれぞれいくらになるかを算出する機能部である。たとえば料金が１３６７円で、提示されたバーコードが「１〜９９円用」であった場合は、現金売上が１３００円でクレジット売上が６７円、提示されたバーコードが「１〜９９９円用」であった場合は、現金売上が１０００円でクレジット売上が３６７円となる。
【００６３】
そして、売上計上部８０２ｄで計上されたクレジット売上高はこの加盟店１０２のＩＤ、カード会員１０１のクレジットカード番号、商品／役務名、売上日時、提示されたのがクレジットカードでなくバーコードであったことを示すフラグなどと対応づけられて、売上通知部８０２ｅによりＣＡＦＩＳ（Ｒ）を経てカード会社１００の精算部８００ｆに送信される。なお、加盟店１０２が多数の支店のうちの一つである場合は、まず本部で各支店の請求を集計してからカード会社１００に請求するようにしてもよい（図１では簡略化して示している）。
【００６４】
なお、上述した８０２ａ〜８０２ｅの各機能部は、加盟店１０２に設置されたレジスターおよび当該レジスターに接続されたバーコードリーダ、ＣＡＴ端末などにより実現される。
【００６５】
つぎに、図１６はこの発明の実施の形態による電子画像表示装置における、電子画像表示処理（具体的には２次元バーコードの表示処理）の手順を示すフローチャートである。カード会員１０１が図２のようなメニューから、「３．表示キーの設定」を選択すると（ステップＳ１６０１：Ｙｅｓ）、表示可否判定部８０１ｆは図１４のような表示キー設定画面を表示して（ステップＳ１６０２）、暗証番号の入力を受け付ける。
【００６６】
そして、図中確定ボタン１４００が押下されると（ステップＳ１６０３：Ｙｅｓ）、入力された暗証番号を所定の計算式により暗号化して（ステップＳ１６０４）、表示キー記憶部８０１ｆ−１に格納する（ステップＳ１６０５）。
【００６７】
その後、カード会員１０１が図２のメニューから「１．バーコードの表示」を選択すると（ステップＳ１６０６：Ｙｅｓ）、バーコード表示部８０１ｅが図１０〜図１２のような一連の画面によりバーコードの絞り込みを誘導し（ステップＳ１６０７）、最終的に絞り込まれたバーコードの表示キーを表示可否判定部８０１ｆに出力する。
【００６８】
表示可否判定部８０１ｆは、バーコード表示部８０１ｅから入力した表示キーを表示キー記憶部８０１ｆ−１内の表示キーと照合し、一致した場合は（ステップＳ１６０８：Ｙｅｓ）表示ＯＫ、不一致の場合は（ステップＳ１６０８：Ｎｏ）表示ＮＧの通知をバーコード表示部８０１ｅに返す（ステップＳ１６０９・Ｓ１６１０）。
【００６９】
そして、バーコード表示部８０１ｅではＯＫの場合に、選択されたバーコードおよびその説明文を図１３のように表示し（ステップＳ１６１１）、ＮＧの場合は「暗証番号が一致しないためバーコードを表示できません」などのエラーメッセージを表示する（ステップＳ１６１２）。
【００７０】
以上説明した実施の形態によれば、バーコード側の表示キーと携帯電話側（バーコードを表示するアプリケーション側）の表示キーとが一致しない限り、バーコードの画像やその説明文が表示されないので、無権限者が何らかの方法でバーコードを取得することがあっても、カードの暗証番号を知らなければ別の携帯電話では読み出しが不能である。これにより、バーコードを盗み取られたりバーコードの誤送付があったりした場合も、自己のバーコードを無断で他人に使われてしまうことがない。
【００７１】
また、いつどこで何に使えるバーコードをもらっていたか把握できなくなるほどバーコードの数が増えても、本発明によれば対象商品名や店舗名など任意の観点から絞り込みができるので、せっかくのバーコードを使い損ねることなく、必要な場面で必要なものを効率よく取り出すことができる。しかも、個々のバーコードには詳細な説明文がついているので、多種多様なバーコードがあっても使用を誤ることがない。
【００７２】
なお、上述した実施の形態では端数決済用のバーコードを例にとって説明したが、それ以外の用途、たとえば商品の割引券（クーポン）として機能するバーコードや、会員証として機能するバーコードなどであっても、表示キーが一致しない限り表示しないようにすることで無権限者による使用を阻止することができる。すなわち、本発明は無権限者による使用を阻止したいあらゆる電子画像の表示において応用可能である。
【００７３】
なお、上述した会員ＤＢ８００ａ、会員認証部８００ｂ、バーコード指定受付部８００ｃ、バーコード生成部８００ｄ、バーコード送信部８００ｅ、精算部８００ｆ、ポイント更新部８００ｇおよびポイントＤＢ８００ｈは、具体的にはＨＤ（ハードディスク）などからサーバコンピュータのＲＡＭに読み出されたプログラムをＣＰＵが実行することにより実現される。このプログラムはＨＤのほか、ＦＤ、ＣＤ−ＲＷ、ＭＯなど各種の記録媒体に格納して配布することができ、またネットワークを介して配布することも可能である。
【００７４】
また、上述した会員認証部８０１ａ、バーコード指定部８０１ｂ、バーコード受信部８０１ｃ、バーコードＤＢ８０１ｄ、バーコード表示部８０１ｅおよび表示可否判定部８０１ｆは、具体的には携帯電話のＲＡＭ１５０３から読み出されたプログラムをＣＰＵ１５０１が実行することにより実現される。このプログラムは各種の記録媒体に格納して配布することができ、ネットワークを介して配布することも可能である。
【００７５】
また、上述したバーコード読み取り部８０２ａ、バーコード解析部８０２ｂ、使用可否判定部８０２ｃ、売上計上部８０２ｄおよび売上通知部８０２ｅは、具体的にはレジスターのＲＡＭに読み出されたプログラムをＣＰＵが実行することにより実現される。このプログラムは各種の記録媒体に格納して配布することができ、ネットワークを介して配布することも可能である。
【００７６】
【発明の効果】
以上説明したように請求項１に記載の発明は、商品や役務などの代金の決済を行うための電子画像を表示する電子画像表示装置において、前記電子画像の画像データおよび前記電子画像の表示可否を判定するための表示キーデータを受信する受信手段と、前記受信手段により画像データを受信された電子画像の表示を指示する指示手段と、前記指示手段により表示を指示された電子画像の画像データとともに前記受信手段により受信された前記表示キーデータが、あらかじめ保持されている表示キーデータと一致するか否かを判定する判定手段と、前記判定手段により前記表示キーデータがあらかじめ保持されている表示キーデータと一致すると判定された場合に、前記電子画像を表示する表示手段と、を備えたので、表示キーの基礎となるデータから個々の電子画像に添付されるのと同一の表示キーを用意しておけない限り、電子画像を取得はしても表示させることはできず、これによって、商品や役務などの代金の決済を行うための電子画像が無権限者により不正に使用されるのを阻止することが可能な電子画像表示装置が得られるという効果を奏する。
【００７７】
また請求項２に記載の発明は、前記請求項１に記載の発明において、前記表示キーデータがクレジットカードの暗証番号にもとづいて生成されるので、表示キーの基礎となる暗証番号から個々の電子画像に添付されるのと同一の表示キーを用意しておけない限り、電子画像を取得はしても表示させることはできず、これによって、商品や役務などの代金の決済を行うための電子画像が無権限者により不正に使用されるのを阻止することが可能な電子画像表示装置が得られるという効果を奏する。
【００７８】
また請求項３に記載の発明は、前記請求項１または請求項２に記載の発明において、前記受信手段が、前記画像データおよび前記表示キーデータとあわせて前記電子画像の使用条件などを記述した説明文データを受信するとともに、前記表示手段が、前記判定手段により前記表示キーデータがあらかじめ保持されている表示キーデータと一致すると判定された場合に、前記電子画像および前記説明文を表示するので、表示キーの基礎となるデータ（たとえば暗証番号）から個々の電子画像に添付されるのと同一の表示キーを用意しておけない限り、電子画像やその説明文を取得はしても表示させることはできず、これによって、商品や役務などの代金の決済を行うための電子画像が無権限者により不正に使用されるのを阻止することが可能な電子画像表示装置が得られるという効果を奏する。
【００７９】
また、請求項４に記載の発明は、商品や役務などの代金の決済を行うための電子画像を表示する電子画像表示方法において、前記電子画像の画像データおよび前記電子画像の表示可否を判定するための表示キーデータを受信する受信工程と、前記受信工程で画像データを受信された電子画像の表示を指示する指示工程と、前記指示工程で表示を指示された電子画像の画像データとともに前記受信工程で受信された前記表示キーデータが、あらかじめ保持されている表示キーデータと一致するか否かを判定する判定工程と、前記判定工程で前記表示キーデータがあらかじめ保持されている表示キーデータと一致すると判定された場合に、前記電子画像を表示する表示工程と、を含んだので、表示キーの基礎となるデータから個々の電子画像に添付されるのと同一の表示キーを用意しておけない限り、電子画像を取得はしても表示させることはできず、これによって、商品や役務などの代金の決済を行うための電子画像が無権限者により不正に使用されるのを阻止することが可能な電子画像表示方法が得られるという効果を奏する。
【００８０】
また、請求項５に記載の発明は、前記請求項４に記載の発明において、前記表示キーデータがクレジットカードの暗証番号にもとづいて生成されるので、表示キーの基礎となる暗証番号から個々の電子画像に添付されるのと同一の表示キーを用意しておけない限り、電子画像を取得はしても表示させることはできず、これによって、商品や役務などの代金の決済を行うための電子画像が無権限者により不正に使用されるのを阻止することが可能な電子画像表示方法が得られるという効果を奏する。
【００８１】
また、請求項６に記載の発明は、前記請求項４または請求項５に記載の発明において、前記受信工程では、前記画像データおよび前記表示キーデータとあわせて前記電子画像の使用条件などを記述した説明文データを受信するとともに、前記表示工程では、前記判定工程で前記表示キーデータがあらかじめ保持されている表示キーデータと一致すると判定された場合に、前記電子画像および前記説明文を表示するので、表示キーの基礎となるデータ（たとえば暗証番号）から個々の電子画像に添付されるのと同一の表示キーを用意しておけない限り、電子画像やその説明文を取得はしても表示させることはできず、これによって、商品や役務などの代金の決済を行うための電子画像が無権限者により不正に使用されるのを阻止することが可能な電子画像表示方法が得られるという効果を奏する。
【００８２】
また、請求項７に記載の発明によれば、前記請求項４〜請求項６のいずれか一つに記載された方法をコンピュータに実行させることが可能なプログラムが得られるという効果を奏する。
【図面の簡単な説明】
【図１】この発明の実施の形態による電子画像表示装置を含む、電子決済システムの概略を示す説明図である。
【図２】この発明の実施の形態による電子画像表示装置における、メニュー画面の一例を示す説明図である。
【図３】この発明の実施の形態による電子画像表示装置における、２次元バーコードの発行に先立つ認証画面の一例を示す説明図である。
【図４】この発明の実施の形態による電子画像表示装置における、２次元バーコードの発行に先立つバーコード選択画面（１ページ目）の一例を示す説明図である。
【図５】この発明の実施の形態による電子画像表示装置における、２次元バーコードの発行に先立つバーコード選択画面（２ページ目）の一例を示す説明図である。
【図６】この発明の実施の形態による電子画像表示装置における、２次元バーコードの発行に先立つバーコード選択画面（３ページ目）の一例を示す説明図である。
【図７】この発明の実施の形態による電子画像表示装置で表示される、２次元バーコードの一例を示す説明図である。
【図８】この発明の実施の形態による電子画像表示装置を含む、電子決済システムの構成を機能的に示す説明図である。
【図９】この発明の実施の形態による電子画像表示装置に送信される、バーコードデータのフォーマットの一例を示す説明図である。
【図１０】この発明の実施の形態による電子画像表示装置における、２次元バーコードの選択画面（１ページ目）の一例を示す説明図である。
【図１１】この発明の実施の形態による電子画像表示装置における、２次元バーコードの選択画面（２ページ目）の一例を示す説明図である。
【図１２】この発明の実施の形態による電子画像表示装置における、２次元バーコードの選択画面（３ページ目）の一例を示す説明図である。
【図１３】この発明の実施の形態による電子画像表示装置における、２次元バーコードの表示画面（説明文つき）の一例を示す説明図である。
【図１４】この発明の実施の形態による電子画像表示装置における、表示キーの設定画面の一例を示す説明図である。
【図１５】この発明の実施の形態による電子画像表示装置のハードウエア構成を示す説明図である。
【図１６】この発明の実施の形態による電子画像表示装置における、電子画像表示処理の手順を示すフローチャートである。
【符号の説明】
１００  カード会社
１０１  カード会員
１０２  加盟店
８００ａ  会員ＤＢ
８００ｂ，８０１ａ  会員認証部
８００ｃ  バーコード指定受付部
８００ｄ  バーコード生成部
８００ｄ−１  説明文生成部
８００ｄ−２  表示キー生成部
８００ｅ  バーコード送信部
８００ｆ  精算部
８００ｇ  ポイント更新部
８００ｈ  ポイントＤＢ
８０１ｂ  バーコード指定部
８０１ｃ  バーコード受信部
８０１ｄ  バーコードＤＢ
８０１ｅ  バーコード表示部
８０１ｆ  表示可否判定部
８０１ｆ−１  表示キー記憶部
８０２ａ  バーコード読み取り部
８０２ｂ  バーコード解析部
８０２ｃ  使用可否判定部
８０２ｄ  売上計上部
８０２ｅ  売上通知部
１５００  バス
１５０１  ＣＰＵ
１５０２  ＲＯＭ
１５０３  ＲＡＭ
１５０４  ディスプレイ
１５０５  操作キー
１５０６  マイク
１５０７  スピーカ
１５０８  通信制御部
【図１】
2004213362.tif 000003
【図２】
2004213362.tif 000004
【図３】
2004213362.tif 000005
【図４】
2004213362.tif 000006
【図５】
2004213362.tif 000007
【図６】
2004213362.tif 000008
【図７】
2004213362.tif 000009
【図８】
2004213362.tif 000010
【図９】
2004213362.tif 000011
【図１０】
2004213362.tif 000012
【図１１】
2004213362.tif 000013
【図１２】
2004213362.tif 000014
【図１３】
2004213362.tif 000015
【図１４】
2004213362.tif 000016
【図１５】
2004213362.tif 000017
【図１６】
2004213362.tif 000018